(57)【要約】  固定ハウジング(2)内でローター(1)を支持するベアリングアセンブリは、ハウジング(2)に固定される複数のスライドベアリングセグメント(3)を具備し、各セグメント(3)はローター(1)のセクションのスライド面(7)に支持されるスライドベアリングボディ(6)を有する。各セグメント(3)の領域においてボディ(6)と、それに当接してボディ(６)が支持されるスライド面(7)との間のクリアランスを調整ネジ(8)で調整でき、ネジ(8)は、それを雌ネジを有するリセス(9)にねじ込むための雄ネジ(10)を有し、ネジ(8)は外周に溝(12)を有し、この溝はネジ(8)のセクション(13,14)によって両側で区切られる。クランプネジ(16)が調整ネジの溝(12)を軸方向に区切るネジ(8)のセクション(13,14)を、したがって溝(12)を通って延び、溝(12)を軸方向に区切るネジ(8)のセクション(13,14)はクランプネジによってクランプでき、ネジ(8)をリセス(9)内で固定できる。
2021535337.tif 000002
【特許請求の範囲】
【請求項１】
ローター（１）を固定ハウジング（２）内に取り付けるためのベアリングアセンブリであって、
前記ハウジング（２）に固定された複数のスライドベアリングセグメント（３）を有し、各スライドベアリングセグメント（３）は、前記ローター（１）のコンポーネントセクションのスライド面（７）上でそれ自体を支持するスライドベアリングボディ（６）を具備し、
各スライドベアリングセグメント（３）の領域において、それぞれの前記スライドベアリングボディ（６）と、その上で前記スライドベアリングボディ（６）がそれ自体を支持する、それぞれの前記コンポーネントセクションの前記スライド面（７）との間のベアリングクリアランスは、調整ネジ（８）によって調整可能であり、
それぞれの前記調整ネジ（８）は雄ネジ（１０）を具備し、それを介して、雌ネジ（１１）を具備する前記ハウジング側のリセス（９）内にねじ込むことができ、
それぞれの前記調整ネジ（８）は、前記調整ネジ（８）のセクション（１３，１４）によって両側において軸方向に制限される、外周上の溝（１２）を具備し、
少なくとも一つのクランプネジ（１６）が、前記調整ネジ（８）の溝（１２）を軸方向に制限する、前記調整ネジ（８）の前記セクション（１３，１４）を通って、したがって前記溝（８）を通って延びており、前記クランプネジ（１６）を介して、前記調整ネジ（８）の前記溝（１２）を軸方向に制限する、前記調整ネジ（８）の前記セクション（１３，１４）をクランプすることができ、その結果、それぞれの前記調整ネジ（８）をそれぞれの前記リセス（９）内でロックできる、ベアリングアセンブリ。
【請求項２】
複数のクランプネジ（１６）が、前記調整ネジ（８）の前記溝（１２）を軸方向に制限する、それぞれの前記調整ネジ（８）の前記セクション（１３，１４）を通って、したがって前記溝（１２）を通って延在することを特徴とする請求項１に記載のベアリングアセンブリ。
【請求項３】
それぞれの前記クランプネジ（１６）の長手方向中心軸線が、それぞれの前記調整ネジ（８）の長手方向中心軸線と平行に延びることを特徴とする請求項１または請求項２に記載のベアリングアセンブリ。
【請求項４】
それぞれの前記クランプネジ（１６）は、前記調整ネジ（８）の前記溝（１２）を軸方向に制限する、それぞれの前記調整ネジ（８）の前記セクション（１３，１４）の孔（１７，１８）を通って延び、前記セクションの一方の孔はネジ無し貫通孔として具現化され、前記セクションの他方の孔はネジ孔として具現化されることを特徴とする請求項１ないし請求項３のいずれか１項に記載のベアリングアセンブリ。
【請求項５】
それぞれの前記クランプネジ（１６）が、前記調整ネジ（８）の前記溝（１２）を軸方向に制限する、前記調整ネジ（８）の前記セクション（１３，１４）を通り、前記溝（１２）の領域においては、前記溝（１２）の溝基部（１５）から離間されて前記溝を通って延びることを特徴とする請求項１ないし請求項４のいずれか１項に記載のベアリングアセンブリ。
【請求項６】
各スライドベアリングセグメントの領域においてベアリングクリアランスを調整するための調整ネジ（８）であって、
前記調整ネジ（８）は雄ネジ（１０）を具備し、
それぞれの前記調整ネジ（８）は外周に溝（１２）を具備し、これは、調整ネジ（８）のセクション（１３，１４）によって両側において軸方向に制限されており、
少なくとも一つのクランプネジ（１６）は、前記調整ネジ（８）の前記溝（１２）を軸方向に制限する、前記調整ネジ（８）の前記セクション（１３，１４）を通って、したがって前記溝（１２）を通って延び、このクランプネジ（１６）を介して、前記調整ネジ（８）の前記溝（１２）を軸方向に制限する前記調整ネジ（８）の前記セクション（１３，１４）をクランプすることができることを特徴とする調整ネジ。
【請求項７】
複数のクランプネジ（１６）が、前記調整ネジ（８）の前記溝（１２）を軸方向に制限する、前記調整ネジ（８）の前記セクション（１３，１４）を通って、したがって前記溝（１２）を通って延びることを特徴とする請求項６に記載の調整ネジ。
【請求項８】
それぞれの前記クランプネジ（１６）の長手方向中心軸線が前記調整ネジ（８）の長手方向中心軸線と平行に延びることを特徴とする請求項６または請求項７に記載の調整ネジ。
【請求項９】
それぞれの前記クランプネジ（１６）は、前記調整ネジ（８）の前記溝（１２）を軸方向に制限する、それぞれの前記調整ネジ（８）の前記セクション（１３，１４）における孔（１７，１８）を通って延び、前記孔は、前記セクションの一方においてネジ無し貫通孔として具現化され、前記孔は、前記セクションの他方において、ネジ孔として具現化されることを特徴とする請求項６ないし請求項８のいずれか１項に記載の調整ネジ。
【請求項１０】
それぞれの前記クランプネジ（１６）が、前記調整ネジ（８）の前記溝（１２）を軸方向に制限する、前記調整ネジ（８）のセクション（１３，１４）を通り、前記溝（１２）の領域においては前記溝（１２）の溝基部（１５）から離間させられて延びることを特徴とする請求項６ないし請求項９のいずれか１項に記載の調整ネジ。
【発明の詳細な説明】
【技術分野】
【０００１】
本発明はベアリングアセンブリに関する。また、本発明はベアリングクリアランスを調整するための調整ネジに関する。
【背景技術】
【０００２】
複数のベアリングセグメントを有するベアリングアセンブリがよく知られている。特に、複数のスライドベアリングセグメントを有するスライドベアリングアセンブリが知られている。スライドベアリングセグメントは、アキシャルスライドベアリングセグメントまたはラジアルスライドベアリングセグメントであることがある。ベアリングアセンブリのスライドベアリングセグメントは、ハウジングまたは代替的にローターに優先的に固定される。各スライドベアリングセグメントは、優先的にはローターのまたは代替的にはハウジングのコンポーネントセクションのスライド面上でそれ自体を支持するスライドベアリングボディを備える。スライドベアリングボディとスライド面との間には、規定のベアリングクリアランスが必要であり、実際に知られているベアリングアセンブリでは、これはアセンブリシムを使用して調整できる。このようなアセンブリシムによるベアリングクリアランスの調整は面倒であり、したがって時間がかかる。この目的のために、ベアリングシムの正確な厚さを決定するべく、ベアリングセグメントを頻繁に取り付けたり取り外したりする必要がある。
【発明の概要】
【発明が解決しようとする課題】
【０００３】
ベアリングクリアランスをより簡単に調整できるベアリングアセンブリが求められている。これに鑑みて、本発明は、新規なベアリングアセンブリおよびベアリングクリアランスを調整するための調整ネジを創出するという目的に基づく。
【課題を解決するための手段】
【０００４】
この目的は、請求項１に記載のベアリングアセンブリによって解決される。
【０００５】
本発明に係るベアリングアセンブリは、固定ハウジング内にローターを取り付ける役割を果たす。ベアリングアセンブリは、優先的にハウジングに対して固定された複数のスライドベアリングセグメントを具備し、各スライドベアリングセグメントは、優先的にローターのコンポーネントセクションのスライド面上でそれ自体を支持するスライドベアリングボディを具備する。
【０００６】
各スライドベアリングセグメントの領域において、それぞれのスライドベアリングボディと、その上でスライドベアリングボディがそれ自体を支持するそれぞれのコンポーネントセクションのスライド面との間のベアリングクリアランスは、調整ネジによって調整可能である。
【０００７】
それぞれの調整ネジは雄ネジを有し、それを介して、優先的に、雌ネジを有するハウジング側のリセスにねじ込むことができる。外周において、それぞれの調整ネジは、調整ネジのセクションによって両側において軸方向に制限された溝を具備する。
【０００８】
少なくとも一つのクランプネジが、調整ネジの溝を軸方向に制限する、調整ネジのセクションを通って、したがってまた溝を通って延び、このクランプネジを介して、調整ネジの溝を制限する調整ネジのセクションをクランプすることができ、その結果、それぞれの調整ネジをそれぞれのリセス内でロックすることができる。
【０００９】
本発明に係るベアリングアセンブリにおいては、ベアリングクリアランスは、それぞれの調整ネジによって、それぞれのスライドベアリングセグメントの領域で調整される。少なくとも一つのクランプネジによって、それぞれの調整ネジをクランプして、これによってロックすることができる。ベアリングボディを何度も取り付けたり取り外したりすることなく、短時間でベアリングクリアランスの簡単な調整が可能である。それぞれのベアリングクリアランスを調整するための調整ネジは、その正しい位置で、それぞれの調整ネジと相互作用する少なくとも一つのクランプネジによってロックされる。
【００１０】
本発明の有利なさらなる展開によれば、それぞれのクランプネジは、調整ネジの溝を軸方向に制限する、それぞれの調整ネジのセクションの孔を通って延在し、セクションの一つの孔はネジ無し貫通孔として具現化され、そして、セクションの他方における孔はネジ孔として具現化される。これにより、それぞれの調整ネジを受け入れるリセス内で、それぞれの調整ネジを特に有利にクランプすることができる。
【００１１】
本発明の有利なさらなる展開によれば、それぞれのクランプネジは、調整ネジの溝を軸方向に制限する調整ネジのセクションを通り、そして溝の領域においては、もっぱら溝の溝基部から離間させられて溝を通って延びる。これもまた、それぞれの調整ネジを受け入れるリセス内で、それぞれの調整ネジを有利にクランプするのに有利である。
【００１２】
本発明によるベアリングクリアランスを調整するための調整ネジは請求項６に記載されている。
【００１３】
本発明の好ましいさらなる展開は、従属請求項および以下の説明から得られる。
【００１４】
本発明の例示的な実施形態について、これに限定されることなく、図面を参照して、さらに詳細に説明する。
【図面の簡単な説明】
【００１５】
【図１】本発明に係るベアリングアセンブリの断面図である。
【図２】ベアリングアセンブリ、すなわちベアリングクリアランス調整ネジの拡大正面図である。
【図３】図２の側面図である。
【発明を実施するための形態】
【００１６】
本発明は、固定ハウジングにローターを取り付けるためのベアリングアセンブリ、およびベアリングクリアランスを調整するための調整ネジに関する。
【００１７】
本発明に係るベアリングアセンブリは、特に、風力タービンの固定ハウジングに風力タービンのローターを取り付けるために、すなわち、ローターブレードを介して駆動される風力タービンのいわゆるメインローターを取り付けるために機能する。
【００１８】
図１は、ハウジング２にローター１を取り付けるために機能するベアリングアセンブリを示している。
【００１９】
図１のベアリングアセンブリは、複数のスライドベアリングセグメント３を具備し、これらは、図示された例示的な実施形態では、アキシャルスライドベアリングセグメントとして具現化される。本発明は、アキシャルスライドベアリングセグメントには限定されず、ラジアルスライドベアリングセグメントと共に使用することもできる。
【００２０】
図１の例示的な実施形態では、スライドベアリングセグメント３はハウジング２に固定されているので、図１のスライドベアリングセグメント３は、ハウジング側のスライドベアリングセグメントである。各スライドベアリングセグメント３はハウジング側マウント４を具備し、これは、それぞれ少なくとも一つの取り付けネジ５によってハウジング２に固定される。それぞれのマウント４は、ローター１のスライド面７上でそれ自体を支持するスライドベアリングボディ６を収容する。
【００２１】
図示されている例示的な実施形態とは対照的に、スライドベアリングセグメントはローター１に固定されるローター側スライドベアリングセグメントであってもよく、この場合、それぞれのスライドベアリングセグメントのスライドボディは、ハウジングのスライド面７上でそれ自体を支持する。
【００２２】
ベアリングアセンブリの適切な動作のために、それぞれのスライドベアリングセグメント３の領域でベアリングクリアランスを調整することが重要であり、ここでベアリングクリアランスは、それぞれのスライドベアリングボディ６とスライド面７（その上でスライドベアリングボディ６はそれ自体を支持する）との間のギャップによって画定される。
【００２３】
調整ネジ８は、このベアリングクリアランスを調整する役割を果たす。各スライドベアリングセグメント３の領域において、それぞれのスライドベアリングボディ６と、その上でスライドベアリングボディ６がそれ自体を支持するスライド面７との間のそれぞれのベアリングクリアランスは、それぞれ少なくとも一つの調整ネジ８によって調整可能である。
【００２４】
それぞれの調整ネジ８は、それぞれのスライドベアリングセグメント３のマウント４のそれぞれのリセス９に受け入れられる。
【００２５】
ここで、それぞれの調整ネジ８は、それぞれの調整ネジ８を受け入れるリセス９の雌ネジ１１と相互作用する雄ネジ１０を有する。それぞれの調整ネジ８の雄ネジ１０と、それぞれのリセス９の雌ネジ１０との相互作用によって、それによってスライドベアリングボディ６と、（その上でスライドベアリングボディ６がそれ自体を支持する）スライド面７との間のギャップを調整するために、調整ネジ８を、それぞれのスライドベアリングセグメント３のマウント４のリセス９にねじ込むことができる。
【００２６】
その外周において、それぞれの調整ネジ８は、溝１２に対して半径方向に突出する調整ネジ８のセクション１３，１４によって両側で軸方向に制限される溝１２を備える。したがって、調整ネジ８の雄ネジ１０は、溝１２の領域で中断されている。軸方向の両側において、調整ネジ８の溝１２は、調整ネジ８のセクション１３および１４によって制限されている。内側において、調整ネジ８の溝１２は、その溝基部１５によって制限されている。
【００２７】
少なくとも一つのクランプネジ１６が、溝１２を軸方向に制限する調整ネジ８のセクション１３，１４を通って、したがって溝１２を通って延在する。優先的には、各調整ネジ８について、少なくとも二つの、好ましくは少なくとも四つの、特に好ましくは少なくとも六つの、そうしたクランプネジ１６が存在する。
【００２８】
クランプネジ１６を用いて、調整ネジ８の溝１２を軸方向に制限する調整ネジ８のセクション１３，１４を互いにクランプすることができ、その結果、調整ネジ８は、それを受け入れるそれぞれのスライドベアリング３（これはまたそれぞれのスライドベアリングボディ６を受け入れる）のマウント４のそれぞれのリセス内９内でロックされる。それぞれの調整ネジ８は、操作中に、もはや意図せずに緩むことはなく、それは、むしろ、クランプネジ１６によって、その正しい位置においてロックされる。
【００２９】
クランプネジ１６の長手方向中心軸線は、それぞれの調整ネジ８の長手方向中心軸線に平行に延びる。それぞれのクランプネジ１６は、それぞれの調整ネジ８のセクション１３，１４の孔１７，１８を通って延びる。孔１７，１８を有するこれらのセクション１３，１４は、溝１２を軸方向に制限するセクションである。それぞれのクランプネジ１６は、調整ネジ８のこれらのセクション１３，１４を通り、そして溝１２の領域において、もっぱら、溝１２の溝基部１５から半径方向に離間させられて溝１２を通って延びる。
【００３０】
クランプネジ１６のための孔１７，１８は、調整ネジ８のセクション１７の一つ、すなわちセクション１７の図示の例示的な実施形態では、ネジ孔として具現化され、調整ネジ８の他方のセクション１４においてはネジ無し貫通孔として具現化される。
【００３１】
次に、それぞれのクランプネジ１６は、ネジ無し貫通孔を通って延びるセクションに雄ネジを持たないが、それぞれのクランプネジ１６は、むしろ、ネジ孔に係合するその特定のセクションに雄ネジを有する。それぞれのクランプネジ１６は、それぞれの調整ネジ８上の、すなわちその軸方向面上のネジ頭部１９によってそれ自体を支持する。
【００３２】
したがって、本発明によれば、スライドベアリングセグメントを備えたベアリングアセンブリにおいて、ベアリングクリアランスを容易かつ簡便に調整することができる。この目的のために、少なくとも一つの調整ネジ８が各スライドベアリングセグメント３のために採用されるが、この調整ネジ８は雄ネジ１０を有し、これは、対応する雌ネジ１１が形成されたそれぞれのスライドベアリングセグメント３のマウント４のリセス内に、この雄ネジ１０を介してねじ込むことができる。ここで、調整ネジ８は、その外周面に、雄ネジ１０を中断する溝１２を具備し、したがって、溝１２を軸方向に制限する二つのセクション１３および１４を形成する。内部では、溝１２は溝基部１５によって制限される。上記または各クランプネジ１６は、クランプネジ８のセクション１３および１４をクランプして、これらが意図せずに緩むのを防ぐためように機能する。それぞれのクランプネジ１６は、もっぱら、溝１２を軸方向に制限するセクション１３を通って延びるが、溝１２の溝基部１５を画定する、セクション１３間に配置される調整ネジの中央セクション２０を通っては延びていない。
【００３３】
したがって、ベアリングクリアランスを調整するために、調整ネジ８は、スライドベアリングセグメント３のマウント４のそれぞれのリセス９内の決められた位置へとねじ込まれる。その過程において、調整ネジ８の雄ネジ１０の逃げ面クリアランスは、クランプネジ１６を締めることにより、リセス９の雌ネジ１１に対して完全に除去される。最初、クランプネジは、逃げ面クリアランスが除去されるまでしか締め付けられないが、調整ネジ８は依然として回転させることができる。したがって、調整されたベアリングクリアランスが影響を受けて、逃げ面クリアランスによって重畳されることが防止される。
【００３４】
ベアリングクリアランスは、調整ネジ８をさらに回すことによって調整される。いったんベアリングクリアランスが調整されると、クランプネジ１６は、決められた公称トルクで締め付けられ、したがって調整ネジ８は最終的にその正しい位置でロックされ、もはや回転することはできない。
【００３５】
ネジ１０の逃げ面クリアランスが除去されなければ、逃げ面クリアランスの大きさのオーダーで調整ネジ８のクランプによって調整されたベアリングクリアランスが変化するリスクがある。
【符号の説明】
【００３６】
１  ローター
２  ハウジング
３  スライドベアリングセグメント
４  マウント
５  固定ネジ
６  スライドボディ
７  スライド面
８  調整ネジ
９  リセス
１０  雄ネジ
１１  雌ネジ
１２  溝
１３  セクション
１４  セクション
１５  溝基部
１６  クランプネジ
１７  孔
１８  孔
１９  ネジ頭
２０  セクション
【図１】
2021535337.tif 000003
【図２】
2021535337.tif 000004
【図３】
2021535337.tif 000005
【国際調査報告】
2021535337.tif 000006
2021535337.tif 000007
2021535337.tif 000008
2021535337.tif 000009